(57)【要約】【課題】  従来の技術は、折り畳み可能であること、脚部を設けてなること、角部を円弧状に形成しているものである。また、折り畳み・脚部・角部円弧であり、それ以外の機能及び効果を有していない。【解決手段】  平板状の左側基板と背面基板と右側基板を水平方向に一体に連設し、折り畳み可能な屈折部を設けてなる衝立であって、屈折部の底面の厚みを０．４ｍｍ〜１．０ｍｍとすることを特徴とする。【選択図】図１
2014046193.tif 000002
【特許請求の範囲】
【請求項１】
平板状の左側基板と背面基板と右側基板を水平方向に一体に連設し、折り畳み可能な屈折部を設けてなる衝立であって、屈折部の底面の厚みを０．４ｍｍ〜１．０ｍｍとすることを特徴とする折り畳み衝立。
【請求項２】
左側基板と背面基板と右側基板の下部または／及び上部に折り畳み時に重合する取っ手を設けてなることを特徴とする請求項１記載の折り畳み衝立。
【請求項３】
少なくとも左側基板と右側基板の底面または／及び上面に滑り止め部を設けてなることを特徴とする請求項１又は２記載の折り畳み衝立。
【請求項４】
左側基板と右側基板の底面または／及び上面を斜状に形成することを特徴とする請求項１、２又は３記載の折り畳み衝立。
【請求項５】
材質を、１．３倍〜３．０倍独立発泡のポリプロピレンとすることを特徴とする請求項１、２、３又は４記載の折り畳み衝立。
【発明の詳細な説明】
【技術分野】
【０００１】  本発明は、主に作業所等における障害者の方の食事時や作業時において、周囲からの情報を遮断し、集中するための折り畳み衝立に関するものである。
【背景技術】
【０００２】  従来の技術として、机上での勉強や読書等に用いる机上用衝立において、段ボール製の板状体に、縦目方向に屈折部を設けて複数の遮蔽板部に区画し、使用時には、屈折部から遮蔽板部を所望の角度に設定して自立できるようにし、不使用時には、屈折部から遮蔽板部を折り畳みできるようにしたことを特徴とする机上用衝立がある。（特許文献１参照）
また、机上での勉強や読書等に用いる机上用衝立において、略横長短形の基板に、縦方向に屈折部を設けて複数の遮蔽板部に区画し、基板の一端側に複数の脚部を突設したことを特徴とする机上用衝立がある。（特許文献２参照）
さらに、机上での勉強や読書等に用いる机上用衝立において、略横長短形の基板を、縦方向に屈折部を設けて複数の遮蔽板部に区画して成り、遮蔽板部をそれぞれ略同じ大きさに形成すると共に、遮蔽板部の角部を全て略円弧状に形成したことを特徴とする机上用衝立がある。（特許文献３参照）
【先行技術文献】
【特許文献】
【０００３】
【特許文献１】  実開昭６３−２７１４５号公報
【特許文献２】  実開昭６３−３３８６０号公報
【特許文献３】  実開昭６３−３３８６３号公報
【発明の概要】
【発明が解決しようとする課題】
【０００４】  上記従来例においては、折り畳み可能であること、脚部を設けてなること、角部を円弧状に形成しているものである。【０００５】  なお、上記従来技術は、折り畳み・脚部・角部円弧であり、それ以外の機能及び効果を有していない。【０００６】  本発明は、上記問題点に鑑み、屈折部の耐久性を向上させ、前方への倒れを防止し、取っ手により持ち運びに便利で、滑り止め効果を有してる折り畳み衝立を提供することを目的とする。
【課題を解決するための手段】
【０００７】本考案は、平板状の左側基板と背面基板と右側基板を水平方向に一体に連設し、折り畳み可能な屈折部を設けてなる衝立であって、屈折部の底面の厚みを０．４ｍｍ〜１．０ｍｍとすること。左側基板と背面基板と右側基板の下部または／及び上部に折り畳み時に重合する取っ手を設けてなること。少なくとも右側基板と左側基板の底面または／及び上面に滑り止め部を設けてなること。左側基板と右側基板の底面または／及び上面を斜状に形成すること。材質を、１．３倍〜３．０倍独立発泡のポリプロピレンとすること。
【発明の効果】
【０００８】１）、屈折部の底面の厚みを０．４ｍｍ〜１．０ｍｍにすることにより、耐久性（１万回程度）にすぐれ、折り畳みし易い。
２）、各基板の底面を斜状に形成することにより、前方に倒れることなく使用できる。
３）、各取っ手が折り畳み時において重合するため、持ち運びし易い。
４）、滑り止め部により折り畳み衝立を摩れることなく、定位置で保持できる。
５）、１．３倍〜３．０倍発泡のポリプロピレンの板材を使用することにより、耐衝撃性・耐水性・耐薬品性にすぐれ、長期に使用できる。
【図面の簡単な説明】
【０００９】
【図１】  本発明の第１実施例を示す折り畳み衝立の立設正面図。
【図２】  本発明の第１実施例を示す折り畳み衝立の屈折部の拡大図。
【図３】  本発明の第１実施例を示す折り畳み衝立の屈折部を閉じた拡大図。
【図４】  本発明の第１実施例を示す折り畳み衝立の折り畳んだ平面図。
【図５】  本発明の第１実施例を示す折り畳み衝立の使用状態図。
【図６】  本発明の第２実施例を示す折り畳み衝立の立設斜視図。
【発明を実施するための形態】
【００１０】  折り畳み衝立１は、平板状の左側基板２と背面板３と右側基板４を水平方向に一体に連設し、折り畳み可能な屈折部５・５を設けてなるもので、略台形状に形成した屈折部５・５の底面の厚みａを０．４ｍｍ〜１．０ｍｍとする。（図１・図２参照）
なお、上辺ｂを約１２ｍｍ、下辺ｃを約２０ｍｍとするのが望ましい。（図２参照）
また、左側基板２と背面基板３と右側基板４の下部（上部に設けてもよい）に、折り畳み時に重合する取っ手６・６・６を設けてある。（図１・図４参照）
さらに、左側基板２と右側基板４の底面（上面に設けてもよい）に円柱状のゴム製等による滑り止め部７を突設してある。（図１参照）
【００１１】  なお、折り畳み時においては、屈折部５・５は扇形状になり、負荷が掛かりにくいため、破損しにくいものである。（図３参照）
【００１２】  つぎに、折り畳み衝立１の使用例について説明する。
例えば、自閉症等の障がい者の方を対象とした生活支援用具としてのニーズがあり、作業所（図示せず）内の机Ｔにて障がい者（図示せず）が作業を行なう場合、集中できず、隣の人にちょっかいを出したりします。
そこで、折り畳み衝立１を左側基板２と右側基板４を開いて立設することにより、集中して作業を行うことができる。
この時、滑り止め部７にて形状を保持することができると共に、簡単に折り畳んで取っ手６を重合させ、持ち運び（撤去）することができる。
なお、取っ手６を上方に位置させるように使用してもよい。
【００１３】  つぎに、第２実施例の折り畳み衝立について説明する。
折り畳み衝立２１は、左側基板２２と右側基板２４の底面２２ａ・２４ａ（上面でもよい）を斜状に形成することにより角度Ｋ分が前方に倒れることにより後方への倒れを防止できる。
【００１４】  上記実施例において、材質は１．３倍〜３．０倍独立発泡のポリプロピレンにすることにより、耐衝撃性・耐水性・耐薬品性にすぐれている。
また、剛性と軽量化が計れる。
折り畳み衝立の板厚は５ｍｍ程度で、高さ３５０ｍｍ〜６００ｍｍ程度・全長１０００ｍｍ程度〜１４００ｍｍ程度が適当と思われる。
さらに、滑り止め部は、複数個所設けてもよい。
さらにまた、使用例としては、工場内の作業場や勉強部屋のパーテーション・大学や公立の図書館等、色々考えられるものである。
【符号の説明】
【００１５】１―――折り畳み衝立
２―――右側基板
３―――背面板
４―――左側基板
５―――屈折部
【図１】
2014046193.tif 000003
【図２】
2014046193.tif 000004
【図３】
2014046193.tif 000005
【図４】
2014046193.tif 000006
【図５】
2014046193.tif 000007
【図６】
2014046193.tif 000008